(57)【要約】      （修正有）【課題】照明を利用した商品展示装置であって、商品と共に商品情報を視覚的に印象づけると共に、運搬や保管が容易で省電力な商品展示装置を提供する。【解決手段】商品展示装置１は、商品１０が載置されると共に第１面発光手段が発する光を出射する第１出射面１４を有する第１面発光部１１と、第２面発光手段３２が発する光を出射する第２出射面を有する第２面発光部３１と、第１面発光部１１と第２面発光部３１とを、回動自在に連結する連結機構６１とを備えている。第２面発光部３１には、第２出射面から離間して配置された透明な透明板５２が設けられており、透光性を有するシート状部材５１が第２出射面と透明板５２の間に着脱自在に挿入される。第１面発光部１１と第２面発光部３１とは、第１出射面１４と第２出射面とが透明板５２を介して対向するように折り畳み可能である。【選択図】図１
0003171071.tif 000002
【実用新案登録請求の範囲】
【請求項１】
第１面発光手段を備えており、前記第１面発光手段が発する光を出射する第１出射面を有する厚板状の第１面発光部と、
第２面発光手段を備えており、前記第２面発光手段が発する光を出射する第２出射面を有する厚板状の第２面発光部と、
前記第１面発光部と前記第２面発光部とを相互に回動自在に連結して、前記第１出射面と前記第２出射面とが成す角度を調整可能とする連結機構とを備えており、
前記第１出射面には、展示される商品が載置され、
前記第２面発光部には、前記第２出射面から離間して配置された透明板が設けられており、透光性を有するシート状部材が前記第２出射面と前記透明板の間に着脱自在に挿入され、
前記第１出射面と前記第２出射面とが前記透明板を介して対向するように折り畳み可能な商品展示装置。
【考案の詳細な説明】
【技術分野】
【０００１】
本考案は、店舗や展示会会場などで商品を展示するのに使用する商品展示装置に関する。
【背景技術】
【０００２】
店舗や展示会会場などでは、顧客や来場者などの観者の目を引くように商品が展示又は陳列される。展示又は陳列される商品をライトアップすることは広く行われており、例えば、特開２０１０−１８７８４４号公報には、化粧品などの比較的小型の商品を、照明効果を利用して印象的に展示する商品陳列台が開示されている(特許文献１)。
【先行技術文献】
【特許文献】
【０００３】
【特許文献１】特開２０１０−１８７８４４号公報
【考案の概要】
【考案が解決しようとする課題】
【０００４】
特許文献１に開示されている商品陳列台では、商品を展示又は陳列すると共に商品情報を観者に効果的に提示することはできず、また、多数のＬＥＤが格子状に配置されているので、消費電力の点で好ましくない。さらに、特許文献１の商品陳列台のように傾斜した背景部が基台に固定される形状は、運搬や保管に不便である。
【０００５】
本考案は、以上の問題を解決するものであり、照明を利用した商品展示装置であって、運搬や保管が容易であり、商品情報を示す媒体を商品と共に省電力でライトアップする又は照らし出す商品展示装置を提供する。
【課題を解決するための手段】
【０００６】
本考案の商品展示装置は、第１面発光手段を備えており、前記第１面発光手段が発する光を出射する第１出射面を有する厚板状の第１面発光部と、第２面発光手段を備えており、前記第２面発光手段が発する光を出射する第２出射面を有する厚板状の第２面発光部と、前記第１面発光部と前記第２面発光部とを相互に回動自在に連結して、前記第１出射面と前記第２出射面とが成す角度を調整可能とする連結機構とを備えており、前記第１出射面には、展示される商品が載置され、前記第２面発光部には、前記第２出射面から離間して配置された透明板が設けられており、透光性を有するシート状部材が前記第２出射面と前記透明板の間に着脱自在に挿入され、前記第１出射面と前記第２出射面とが前記透明板を介して対向するように折り畳み可能である。
【考案の効果】
【０００７】
本考案の商品展示装置は、角度調節可能に回動自在に連結された２つの面発光部を備えており、一方の面発光部には展示される商品が載置されてライトアップされる。商品情報を示すシート状部材をライトアップする他方の面発光部を、その商品の背後にて起立するように配置することで、照明効果を利用して商品を印象的に展示すると共に、商品情報を印象的に観者に与えることができる。また、本考案の商品展示装置は、面発光手段を利用しているので消費電力が少なく、さらに、折り畳みできるので、運搬や保管が容易に行える。
【図面の簡単な説明】
【０００８】
【図１】本考案の実施例である商品展示装置の使用時における斜視図である。
【図２】本考案の実施例である商品展示装置の斜視図であって、シート状部材が着脱される模様を示している。
【図３】本考案の実施例である商品展示装置の折り畳み状態における斜視図である。
【考案を実施するための形態】
【０００９】
以下、本考案の商品展示装置について図を用いて説明する。図１は、本発明の一実施例である商品展示装置(1)の使用状態における斜視図である。図２は、商品展示装置(1)にて、後述するシート状部材(51)が着脱される模様を示す説明する斜視図である。商品展示装置(1)は、例えば、店舗や展示会会場などにおいて、化粧品や装飾品などの比較的小型の商品(10)(図１にて、一点鎖線で示す)を展示するのに使用される。図１では、商品(10)として、化粧品が展示されている模様を例示している。
【００１０】
商品展示装置(1)は、第１面発光部(11)と第２面発光部(31)とを備えている。第１及び第２面発光部(11)(31)は共に、矩形の厚板状の形状を有しており、内部に面発光手段(12)(32)(図２にて波線で示す)を備えている。第１面発光部(11)が備える第１面発光手段(12)と、第２面発光部(31)が備える第２面発光手段(32)とには、例えば、矩形の導光板とその一端面に設けられた光源とを備えているエッジライト式の面発光装置が使用される。これら面発光装置の光源には、一列に配置された複数の発光ダイオードが使用される。周知のように、これら導光板の一方の主面は、光源からの光を放出する出光面とされ、他方の主面は、Ｖ溝加工や反射シートの貼付により反射面とされている。
【００１１】
第１面発光部(11)の第１面発光手段(12)は、透光性を有する材料で形成されており、厚板状の外形を有する第１カバー部材(13)で覆われている。第１カバー部材(13)は、例えば、透光性を有する乳白色の矩形のアクリル板(例えば、酸化チタンのような白色顔料が混入したアクリル板)をＵ字形に湾曲させて、その両側部を同じ材料で形成された壁部材で閉じることで作製されている。光源が配置される端面を除いて、第１面発光手段(12)は第１カバー部材(13)で覆われる。第１面発光手段(12)の主面から発せられた光は、第１出射面(14)、つまり第１カバー部材(13)の上面から第１面発光部(11)の外部に出射される。なお、第１カバー部材(13)は、第１出射面(14)側を除いて遮光性の材料で形成されてもよい。
【００１２】
図１に示す商品展示装置(1)の使用状態において、第１面発光部(11)は、棚、机又は床などの平坦面に載置されて、商品展示装置(1)の基台として機能する。そして略水平な第１出射面(14)上に、図１に示すように、展示される商品(10)が載置される。
【００１３】
第１面発光部(11)の第１面発光手段(12)と同様に、第２面発光部(31)の第２面発光手段(32)も、透光性を有する材料で形成されており、厚板状の外形を有する第２カバー部材(33)で覆われている。図１及び図２における使用状態において、第１面発光部(11)側に面した第２カバー部材(33)の主面が、第２面発光手段(32)から発せられた光が出射する第２出射面(34)となっている。
【００１４】
第１面発光部(11)と第２面発光部(31)は、連結機構(61)によって、相互に回動自在に連結されている。連結機構(61)は、第１面発光部(11)の一端部が嵌められて固定される矩形筒状の扁平な第１支持部材(62)と、第２面発光部(12)の一端部が嵌められて固定される矩形筒状の扁平な第２支持部材(63)とを備えている。第１支持部材(62)内には、第１面発光手段(12の光源が格納され、第２支持部材(63)内には、第２面発光手段(32)の光源が格納される。本実施例では、第１支持部材(62)と第２支持部材(63)とは、一対のヒンジ機構(64)(64)で相互に回動自在に結合されている。商品展示装置(1)の使用状態では、図１及び図２に示すように、第１面発光部(11)と第２面発光部(31)が、又は、第１出射面(14)と第２出射面(34)とが略直交するように配置される。
【００１５】
第２面発光部(31)には、第２出射面(34)から離間して配置された透明な矩形の透明板(52)が設けられており、図２に示すように、シート状部材(51)が第２出射面(34)と透明板(52)の間に着脱自在に挿入可能とされている(図１では、挿入されたシート状部材(51)を一点鎖線で示す)。本実施例では、透明板(52)の各隅部は、図示を省略したワッシャを介して、第２面発光部(31)の第２カバー部材(33)にネジ(53)で固定されている。ワッシャは、第２出射面(34)と透明板(52)の間隔を規定するスペーサとして機能する。本実施例では、連結機構(61)の第２支持部材(63)の端部と、ワッシャとで、挿入されたシート状部材(51)の移動が規制されている。なお、透明板(52)又は第２出射面(34)、シート状部材(51)の移動が規制する又はシート状部材(51)を位置決めする凸部を形成してもよい。
【００１６】
シート状部材(51)は、透明な材料、例えば、透明な塩化ビニール製の矩形のシートであって、その一方の面に、展示される商品の商品情報(図に示す例では、商品(10)の製造業者の名称を示す文字列「ＡＢＣ化粧品」)が印刷されている。第２面発光部(31)からの光でシート状部材(51)がライトアップされることで、第１面発光部(11)からの光でライトアップされた商品(10)の背後にて、第２面発光部(31)とシート状部材(51)は、電飾看板のように機能する。
【００１７】
本発明において、シート状部材(51)に付される商品情報は特に限定されず、展示される商品(10)に関係した意匠がシート状部材(51)に施されてよい。また、展示される商品(10)に応じて、商品展示装置(1)に装着されるシート状部材(51)は交換されてよく、商品情報や意匠をシート状部材(51)に付するために印刷以外の手法が使用されてもよい(例えば、図１及び図２に示した文字列「ＡＢＣ化粧品」は、マーキングフィルムで形成されてもよい)。
【００１８】
連結機構(61)のヒンジ機構(64)(64)には、例えばトルクヒンジが使用されており、連結機構(61)は、第１面発光部(11)と第２面発光部(31)が成す角度、又は、第１出射面(14)と第２出射面(34)が成す角度が任意に調整可能にされている。第１面発光部(11)と第２面発光部(31)の間の角度は、第１面発光部(11)及び/又は第２面発光部(31)に力を加えて回動させることで調整でき、図３に示すように、商品展示装置(1)を折り畳むことができる。折り畳み状態では、第１面発光部(11)と第２面発光部(31)は略平行に配置されて、第１出射面(14)と第２出射面(34)とは透明板(52)を介して対向する。商品展示装置(1)を折り畳み状態にすることで、商品展示装置(1)の運搬が容易になり、また、未使用時において保管に要するスペースが小さくなる。なお、図１に示す使用状態にて商品展示装置(1)が安定して配置されるために、第１面発光部(11)の重量は、第２面発光部(31)の重量よりも大きくされるのが好ましい。
【００１９】
上記実施例の説明は、本考案を説明するためのものであって、実用新案登録請求の範囲に記載の考案を限定し、或は範囲を減縮するように解すべきものではない。又、本考案の各部構成は上記実施例に限らず、実用新案登録請求の範囲に記載の技術的範囲内で種々の変形が可能であることは勿論である。
【符号の説明】
【００２０】
(1)     商品展示装置
(10)    商品
(11)    第１面発光部
(12)    第１面発光手段
(14)    第１出射面
(31)    第２面発光部
(32)    第２面発光手段
(34)    第２出射面
(51)    シート状部材
(52)    透明板
(61)    連結機構
【図１】
0003171071.tif 000003
【図２】
0003171071.tif 000004
【図３】
0003171071.tif 000005